(57)【要約】      （修正有）【課題】電動工具と連結することによって、均等な速さで往復運動をさせることができると共に、研磨部材が磨耗した場合に容易に交換することができる電動工具用研磨具を提供する。【解決手段】電動工具用研磨具１０は、研磨体１と、レシプロソーに連結するための連結部材２とを有しており、研磨体１は、ベース部材３と、研磨部材４とを有している。また、研磨部材４は、研磨部４ａを備えており、連結部材２は、保持部２ａと接続部２ｂを有し、ベース部材３と連結部材２が保持部２ａによって固定され、研磨部材４は、ベース部材３に対して面ファスナーからなる接合手段３ｂ、４ｂにより着脱自在に固定されている。【選択図】図１
0003209906.tif 000002
【実用新案登録請求の範囲】
【請求項１】
研磨体と、レシプロソーに連結するための連結部材とを有する電動工具用研磨具において、
前記研磨体は、ベース部材と、研磨部材とを有し、
前記研磨部材は、研磨部を備え、
前記連結部材、又はベース部材は、保持部を有し、
前記ベース部材と前記連結部材が前記保持部によって固定されるものであって、
前記研磨部材は、前記ベース部材に対して着脱自在に固定されていることを特徴とする電動工具用研磨具。
【請求項２】
研磨部材は、ベース部材に対して面ファスナーによって着脱自在に固定されていることを特徴とする請求項１に記載の電動工具用研磨具。
【請求項３】
ベース部材は可撓性を有することを特徴とする請求項１又は２に記載の電動工具用研磨具。
【考案の詳細な説明】
【技術分野】
【０００１】
本考案は、金属製品等の研磨を行う為に、レシプロソー等の往復運動を行う電動工具を利用するものであって、レシプロソーに取り付けられている鋸刃等と取り替えて使用する電動工具用研磨具に関するものである。
【背景技術】
【０００２】
従来から、本体を硬質材にて形成し、この本体の貼着部に接着剤を使用して剥離自在に紙やすりを貼着した構成のやすりが知られている（特許文献１）。
【０００３】
また、電動により回転する砥石基盤を基台と鍔部によって形成し、鍔部の下面を砥石面とした回転砥石において、砥石基盤を樹脂の内層と金属の外層とにより形成し、鍔部砥石面にダイヤモンド砥粒を電着した電動回転砥石が知られている（特許文献２）。
【先行技術文献】
【特許文献】
【０００４】
【特許文献１】実開昭５４−１２６２８７号公報
【特許文献２】実公平４−２７７８号公報
【考案の概要】
【考案が解決しようとする課題】
【０００５】
しかしながら、上記特許文献１に記載されたやすりは、手動で研磨を行うものであることから、やすりを金属製品等の被加工物に当接した状態で、均等な速さで往復運動させるには熟練を要していた。
【０００６】
また、上記特許文献２に記載された電動回転砥石は、使用により鍔部砥石面が磨耗した場合には、砥石基盤全体を取り換える必要があり、取り換え作業に時間を要すると共に、コスト高となるものであった。
【０００７】
本考案は、前記従来の課題を解決するものであり、電動工具と連結することによって、均等な速さで往復運動をさせることができると共に、研磨部材が磨耗した場合に容易に交換することができる電動工具用研磨具を提供することを目的とする。
【課題を解決するための手段】
【０００８】
前記従来の課題を解決するために、請求項１の考案は、研磨体と、レシプロソーに連結するための連結部材とを有する電動工具用研磨具において、前記研磨体は、ベース部材と、研磨部材とを有し、前記研磨部材は、研磨部を備え、前記連結部材、又はベース部材は、保持部を有し、前記ベース部材と前記連結部材が前記保持部によって固定されるものであって、前記研磨部材は、前記ベース部材に対して着脱自在に固定されていることを特徴としている。
【０００９】
請求項１の考案は、連結部材によってレシプロソーと連結することができるので、研磨体を均等な速さで往復運動させることができ、使用者の負担を軽減させることができる。また、研磨部材をベース部材に対して着脱自在に固定しているので、研磨部材が磨耗して交換時期となった場合には、容易に交換作業を行うことができ、研磨部材のみを交換すればよいので、コストを低減することができる。
【００１０】
請求項２の電動工具用研磨具の考案は、請求項１の考案において、研磨部材は、ベース部材に対して面ファスナーによって着脱自在に固定されていることを特徴としている。したがって、面ファスナーによって、研磨部材の交換作業を一層容易に行うことができる。
【００１１】
請求項３の電動工具用研磨具の考案は、請求項１又は２の考案において、ベース部材は可撓性を有することを特徴としている。したがって、被加工物の加工面が平面でない場合においてもベース部材を変形させて研磨することができる。
【考案の効果】
【００１２】
請求項１及び２の考案は、研磨体を均等な速さで往復運動させることができ、使用者の負担を軽減させることができる。また、研磨部材の交換作業を容易に行うことができ、研磨部材のみを交換すればよいので、コストを低減することができる。また、請求項３の考案は、被加工物の加工面が平面でない場合においても研磨することができる。
【図面の簡単な説明】
【００１３】
【図１】本考案に係る電動工具用研磨具の第１実施形態を示す斜視図
【図２】第１実施形態の電動工具用研磨具の研磨部材を取り外した状態を示す底面図
【図３】第１実施形態の電動工具用研磨具を電動工具に取り付けた状態を示す右側面図
【図４】本考案に係る電動工具用研磨具を構成する研磨部材を示す斜視図
【図５】第２実施形態の電動工具用研磨具を電動工具に取り付けた状態を示す右側面図
【考案を実施するための形態】
【００１４】
以下、本考案の実施形態について、図面を参照しながら説明する。なお、この実施の形態によって本考案が限定されるものではない。
【００１５】
図１は、本考案に係る電動工具用研磨具の第１実施形態を示す斜視図であり、図２は、同電動工具用研磨具の研磨部材を取り外した状態を示す底面図、図３は、同電動工具用研磨具を電動工具に取り付けた状態を示す右側面図、図４は、研磨部材を示す斜視図である。これらの図を用いて第１実施形態の電動工具用研磨具について説明する。
【００１６】
第１実施形態の電動工具用研磨具１０は、研磨体１と、レシプロソーに連結するための連結部材２とを有しており、研磨体１は、ベース部材３と、研磨部材４とを有している。また、研磨部材４は、研磨部４ａを備えており、連結部材２は、保持部２ａと接続部２ｂを有し、ベース部材３と連結部材２が保持部２ａによって固定されるものである。そして、研磨部材４は、ベース部材３に対して着脱自在に固定されている。尚、ベース部材３は可撓性を有する材料で成形するのが好ましい。ベース部材３が可撓性を有することによって、被加工物の加工面が平面でない場合においても加工面に対応させてベース部材３を変形させることができ、ベース部材３が変形することによって研磨部材４も変形して被加工物の研磨を行うことが可能となる。また、研磨部４ａは、紙やすり状の材質や、スポンジ状の材質等、種々の材質を採用することができるが、ベース部材３の変形に対応して変形可能な材質であることが好ましい。
【００１７】
連結部材２の保持部２ａは、断面略コの字形状となっており、ベース部材３を挟持すると共に、保持部２ａの複数箇所を側面から加締めて凹部２ｃ、２ｃを形成し、ベース部材３の端部近傍３ａを押圧固定している。また、連結部材２の接続部２ｂの形状は一例であり、レシプロソー等の電動工具５の着脱手段に対応して様々な形態をとることができる。尚、本考案に係る電動工具用研磨具１０は、レシプロソーでの使用に限定するものではなく、往復運動を行う各種電動工具に使用することが可能である。
【００１８】
ベース部材３は、図２に示すように、研磨部材４と接合するための接合するための接合手段３ｂを備えている。また、研磨部材４は、図４に示すように、ベース部材３と接合するための接合手段４ｂを備えている。
【００１９】
具体的には、ベース部材３の接合手段３ｂとして、面ファスナーのフック状に起毛されている側を使用し、これをベース部材３の底面に接着剤等で固定する。また、研磨部材４の接合手段４ｂとして、面ファスナーのループ状に起毛されている側を使用し、これを研磨部４ａの上面に接着剤等で固定する。
【００２０】
前述のようにベース部材３と研磨部材４は各々、面ファスナーからなる接合手段３ｂ、４ｂを備えていることから、面ファスナーからなる接合手段３ｂ、４ｂ同士が接合することによって研磨部材４は、ベース部材３に対して着脱自在に固定される。したがって、研磨部材４の研磨部４ａが磨耗して交換時期となった場合には、容易に交換作業を行うことができ、研磨部材４のみを交換すればよいので、コストを低減することができる。
【００２１】
図５は、第２実施形態の電動工具用研磨具を電動工具に取り付けた状態を示す右側面図である。図５に示すように、第２実施形態の電動工具用研磨具２０は、研磨体１と、レシプロソーに連結するための連結部材１２とを有しており、研磨体１は、ベース部材１３と、研磨部材４とを有している。また、研磨部材４は、研磨部４ａを備えており、連結部材１２は、接続部１２ｂを有し、ベース部材１３は、連結部材１２の先端部１２ａが挿入される保持部１３ａを有している。そして、ベース部材１３と連結部材１２が保持部１３ａによって固定されるものである。そして、研磨部材４は、ベース部材１３に対して着脱自在に固定されている。
【００２２】
尚、研磨部材４は、平面視長方形状としているが、本考案は、これに限定されるものではなく、２本の直線状の研磨部材が間隔を開けて配置される形状であっても良い。
【産業上の利用可能性】
【００２３】
本考案に係る電動工具用研磨具は、レシプロソー等の往復運動を行う電動工具に固定されて利用される。
【符号の説明】
【００２４】
１  研磨体
２、１２  連結部材
２ａ、１３ａ  保持部
２ｂ  接続部
２ｃ  凹部
３、１３  ベース部材
３ａ  端部近傍
３ｂ、４ｂ  接合手段
４  研磨部材
４ａ  研磨部
５  電動工具
１０、２０  電動工具用研磨具
【図１】
0003209906.tif 000003
【図２】
0003209906.tif 000004
【図３】
0003209906.tif 000005
【図４】
0003209906.tif 000006
【図５】
0003209906.tif 000007